(57)【要約】【課題】  カラーホイールの回転状態に応じてランプの点灯動作を制御する制御回路を備えるプロジェクタにおいて、当該制御回路の一部に不具合が生じた場合においてもカラーホイールを確実に保護する。【解決手段】  所定の点灯信号により点灯するランプ２１と、ランプ２１に隣接した位置に配置されたカラーホイール３０と、を備えるプロジェクタ１において、カラーホイール３０の回転状態が検出された場合にランプ２１を点灯させるための第１の信号を出力するメインＣＰＵ６１と、カラーホイール３０の回転状態が検出された場合にランプ２１を点灯させるための第２の信号を出力するサブＣＰＵ６２と、第１の信号及び第２の信号の双方が入力された場合にのみ点灯信号の出力を行うＡＮＤゲート６３と、を備える。【選択図】図２
2006098979.tif 000002
【特許請求の範囲】
【請求項１】
所定の点灯信号により点灯するランプと、このランプに隣接した位置に配置されたカラーホイールと、を備えるプロジェクタにおいて、
前記カラーホイールが回転しているか否かを判定する第１の回転判定手段と、
前記カラーホイールが回転しているか否かを判定する第２の回転判定手段と、
前記第１の回転判定手段で前記カラーホイールが回転していると判定された場合に、前記ランプを点灯させるための第１の信号の出力を行う第１の信号出力手段と、
前記第２の回転判定手段で前記カラーホイールが回転していると判定された場合に、前記ランプを点灯させるための第２の信号の出力を行う第２の信号出力手段と、
前記第１の信号及び前記第２の信号の双方が入力された場合にのみ、前記点灯信号の出力を行う点灯信号出力手段と、
を備えることを特徴とするプロジェクタ。
【請求項２】
所定の消灯信号により消灯するランプと、このランプに隣接した位置に配置されたカラーホイールと、を備えるプロジェクタにおいて、
前記カラーホイールが回転しているか否かを判定する第１の回転判定手段と、
前記カラーホイールが回転しているか否かを判定する第２の回転判定手段と、
前記第１の回転判定手段で前記カラーホイールが回転していると判定された場合に、前記ランプを点灯させるための第１の信号の出力を行う第１の信号出力手段と、
前記第２の回転判定手段で前記カラーホイールが回転していると判定された場合に、前記ランプを点灯させるための第２の信号の出力を行う第２の信号出力手段と、
前記第１の信号が入力されない場合及び／又は前記第２の信号が入力されない場合に、前記消灯信号の出力を行う消灯信号出力手段と、
を備えることを特徴とするプロジェクタ。
【請求項３】
前記第２の信号出力手段は、
前記第１の信号出力手段からの出力信号を監視し、前記第１の信号出力手段から前記第１の信号が出力された場合にのみ前記第２の信号の出力を行うことを特徴とする請求項１又は２に記載のプロジェクタ。
【請求項４】
前記第１の信号出力手段は、
前記第２の信号出力手段からの出力信号を監視し、前記第２の信号出力手段から前記第２の信号が出力された場合にのみ前記第１の信号の出力を行うことを特徴とする請求項１から３の何れか一項に記載のプロジェクタ。
【請求項５】
所定の点灯信号により点灯するランプと、このランプに隣接した位置に配置されたカラーホイールと、を備えるプロジェクタにおいて、
前記カラーホイールが回転しているか否かを判定する回転判定手段と、
前記回転判定手段で前記カラーホイールが回転していると判定された場合に、前記ランプを点灯させるための予備点灯信号の出力を行う予備信号出力手段と、
前記予備信号出力手段が正常に機能しているか否かを監視し、前記予備信号出力手段が正常に機能している場合にのみ正常信号の出力を行う監視手段と、
前記予備点灯信号及び前記正常信号の双方が入力された場合にのみ、前記点灯信号の出力を行う点灯信号出力手段と、
を備えることを特徴とするプロジェクタ。
【請求項６】
所定の消灯信号により消灯するランプと、このランプに隣接した位置に配置されたカラーホイールと、を備えるプロジェクタにおいて、
前記カラーホイールが回転しているか否かを判定する回転判定手段と、
前記回転判定手段で前記カラーホイールが回転していると判定された場合に、前記ランプを点灯させるための予備点灯信号の出力を行う予備信号出力手段と、
前記予備信号出力手段が正常に機能しているか否かを監視し、前記予備信号出力手段が正常に機能している場合にのみ正常信号の出力を行う監視手段と、
前記予備点灯信号が入力されない場合及び／又は前記正常信号が入力されない場合に、前記消灯信号の出力を行う消灯信号出力手段と、
を備えることを特徴とするプロジェクタ。
【発明の詳細な説明】
【技術分野】
【０００１】
本発明は、プロジェクタに関する。
【背景技術】
【０００２】
近年、ランプ等の光源からの投射光をカラーホイールに透過又は反射させ、この透過光又は反射光をデジタル反射集積素子であるＤＭＤ（Digital Micromirror Device）に反射させてカラー画像を生成し、このカラー画像を投射レンズによって所定のスクリーンに拡大投影して画像を表示するＤＬＰ（Digital Light Processor）プロジェクタが提案されている（例えば、特許文献１参照。）。
【０００３】
かかるＤＬＰプロジェクタにおいては、発熱部品であるランプがカラーホイールに隣接した位置に配置されているため、カラーホイールが停止した状態でランプが点灯していると、カラーホイールがランプの熱によって破損する場合がある。このため、カラーホイールの回転状態に応じてランプの点灯動作を制御してカラーホイールを保護する技術が提案されている。
【０００４】
例えば、図６に示すように、プロジェクタに搭載された１個のＣＰＵ１００がフォトインタラプタ２００を介してカラーホイール３００が回転しているか否かを判定し、カラーホイール３００が回転している場合にはランプＯＮ信号を出力し、ランプ点灯用の回路４００を介してランプを点灯させる制御技術が提案されている。
【特許文献１】特開２００１−１０９０６８号公報
【発明の開示】
【発明が解決しようとする課題】
【０００５】
しかし、前記した従来の制御技術においては、１個のＣＰＵ１００でカラーホイール３００の回転判定やランプの点灯動作の制御を行っていたため、このＣＰＵ１００が故障して暴走した場合には、カラーホイール３００の回転状態の検出やランプの点灯動作の制御が不可能となる、という問題があった。また、フォトインタラプタ２００からＣＰＵ１００を経由してランプ点灯用の回路４００にいたる信号入出力経路に断線・短絡等の不具合が生じた場合には、カラーホイール３００の回転状態の検出ができなかったり、カラーホイール３００の回転状態を検出しても適切なタイミングでランプを消灯させることができなかったりする、という事態が発生し得る。
【０００６】
本発明の課題は、カラーホイールの回転状態に応じてランプの点灯動作を制御する制御回路を備えるプロジェクタにおいて、当該制御回路の一部に不具合が生じた場合においてもカラーホイールを確実に保護することである。
【課題を解決するための手段】
【０００７】
以上の課題を解決するために、請求項１に記載の発明は、
所定の点灯信号により点灯するランプと、このランプに隣接した位置に配置されたカラーホイールと、を備えるプロジェクタにおいて、
前記カラーホイールが回転しているか否かを判定する第１の回転判定手段と、
前記カラーホイールが回転しているか否かを判定する第２の回転判定手段と、
前記第１の回転判定手段で前記カラーホイールが回転していると判定された場合に、前記ランプを点灯させるための第１の信号の出力を行う第１の信号出力手段と、
前記第２の回転判定手段で前記カラーホイールが回転していると判定された場合に、前記ランプを点灯させるための第２の信号の出力を行う第２の信号出力手段と、
前記第１の信号及び前記第２の信号の双方が入力された場合にのみ、前記点灯信号の出力を行う点灯信号出力手段と、
を備えることを特徴とする。
【０００８】
請求項２に記載の発明は、
所定の消灯信号により消灯するランプと、このランプに隣接した位置に配置されたカラーホイールと、を備えるプロジェクタにおいて、
前記カラーホイールが回転しているか否かを判定する第１の回転判定手段と、
前記カラーホイールが回転しているか否かを判定する第２の回転判定手段と、
前記第１の回転判定手段で前記カラーホイールが回転していると判定された場合に、前記ランプを点灯させるための第１の信号の出力を行う第１の信号出力手段と、
前記第２の回転判定手段で前記カラーホイールが回転していると判定された場合に、前記ランプを点灯させるための第２の信号の出力を行う第２の信号出力手段と、
前記第１の信号が入力されない場合及び／又は前記第２の信号が入力されない場合に、前記消灯信号の出力を行う消灯信号出力手段と、
を備えることを特徴とする。
【０００９】
請求項１又は２に記載の発明によれば、第１の信号出力手段は、第１の回転判定手段でカラーホイールが回転していると判定された場合に、ランプを点灯させるための「第１の信号」の出力を行う。また、第２の信号出力手段は、第２の回転判定手段でカラーホイールが回転していると判定された場合に、ランプを点灯させるための「第２の信号」の出力を行う。そして、点灯信号出力手段は、これら「第１の信号」及び「第２の信号」の双方が入力された場合にのみ点灯信号の出力を行ってランプを点灯させる。また、消灯信号出力手段は、「第１の信号」が入力されない場合及び／又は「第２の信号」が入力されない場合に、消灯信号の出力を行ってランプを消灯させる。
【００１０】
このため、第１の回転判定手段、第２の回転判定手段、第１の信号出力手段及び第２の信号出力手段のうち何れか一が正常に機能しないために「第１の信号」及び／又は「第２の信号」が出力されない場合や、各回転判定手段から各信号出力手段を経由して点灯信号出力手段にいたる信号入出力経路に不具合が生じて「第１の信号」及び／又は「第２の信号」が正常に伝達されない場合には、点灯信号が出力されない（又は消灯信号が出力される）ため、ランプが点灯することがない。従って、カラーホイールが停止している場合にランプが誤って点灯するのを阻止することができ、カラーホイールを確実に保護することができる。
【００１１】
請求項３に記載の発明は、請求項１又は２に記載のプロジェクタにおいて、
前記第２の信号出力手段は、
前記第１の信号出力手段からの出力信号を監視し、前記第１の信号出力手段から前記第１の信号が出力された場合にのみ前記第２の信号の出力を行うことを特徴とする。
【００１２】
請求項３に記載の発明によれば、第２の信号出力手段は、第１の信号出力手段からの出力信号を監視し、第１の信号出力手段から「第１の信号」が出力された場合にのみ「第２の信号」の出力を行うので、第１の信号出力手段が正常に機能していない場合におけるランプの誤作動をより確実に防ぐことができる。
【００１３】
請求項４に記載の発明は、請求項１から３の何れか一項に記載のプロジェクタにおいて、
前記第１の信号出力手段は、
前記第２の信号出力手段からの出力信号を監視し、前記第２の信号出力手段から前記第２の信号が出力された場合にのみ前記第１の信号の出力を行うことを特徴とする。
【００１４】
請求項４に記載の発明によれば、第１の信号出力手段は、第２の信号出力手段からの出力信号を監視し、第２の信号出力手段から「第２の信号」が出力された場合にのみ「第１の信号」の出力を行うので、第２の信号出力手段が正常に機能していない場合におけるランプの誤作動をより確実に防ぐことができる。
【００１５】
請求項５に記載の発明は、
所定の点灯信号により点灯するランプと、このランプに隣接した位置に配置されたカラーホイールと、を備えるプロジェクタにおいて、
前記カラーホイールが回転しているか否かを判定する回転判定手段と、
前記回転判定手段で前記カラーホイールが回転していると判定された場合に、前記ランプを点灯させるための予備点灯信号の出力を行う予備信号出力手段と、
前記予備信号出力手段が正常に機能しているか否かを監視し、前記予備信号出力手段が正常に機能している場合にのみ正常信号の出力を行う監視手段と、
前記予備点灯信号及び前記正常信号の双方が入力された場合にのみ、前記点灯信号の出力を行う点灯信号出力手段と、
を備えることを特徴とする。
【００１６】
請求項６に記載の発明は、
所定の消灯信号により消灯するランプと、このランプに隣接した位置に配置されたカラーホイールと、を備えるプロジェクタにおいて、
前記カラーホイールが回転しているか否かを判定する回転判定手段と、
前記回転判定手段で前記カラーホイールが回転していると判定された場合に、前記ランプを点灯させるための予備点灯信号の出力を行う予備信号出力手段と、
前記予備信号出力手段が正常に機能しているか否かを監視し、前記予備信号出力手段が正常に機能している場合にのみ正常信号の出力を行う監視手段と、
前記予備点灯信号が入力されない場合及び／又は前記正常信号が入力されない場合に、前記消灯信号の出力を行う消灯信号出力手段と、
を備えることを特徴とする
【００１７】
請求項５又は６に記載の発明によれば、予備信号出力手段は、回転判定手段でカラーホイールが回転していると判定された場合に、ランプを点灯させるための「予備点灯信号」の出力を行う。また、この予備信号出力手段が正常に機能している場合に、監視手段が「正常信号」の出力を行う。そして、点灯信号出力手段は、これら「予備点灯信号」及び「正常信号」の双方が入力された場合にのみ点灯信号の出力を行ってランプを点灯させる。また、消灯信号出力手段は、「予備点灯信号」が入力されない場合及び／又は「正常信号」が入力されない場合に、消灯信号の出力を行ってランプを消灯させる。
【００１８】
このため、回転判定手段や予備信号出力手段が正常に機能しないために「予備点灯信号」及び／又は「正常信号」が出力されない場合や、回転判定手段から予備信号出力手段及び監視手段を経由して点灯信号出力手段にいたる信号入出力経路に不具合が生じて「予備点灯信号」及び／又は「正常信号」が正常に伝達されない場合には、点灯信号出力手段から点灯信号が出力されない（又は消灯信号が出力される）ため、ランプが点灯することがない。従って、カラーホイールが停止している場合にランプが誤って点灯するのを阻止することができ、カラーホイールを確実に保護することができる。
【発明の効果】
【００１９】
請求項１又は２に記載の発明によれば、第１の回転判定手段でカラーホイールが回転していると判定された場合に、第１の信号出力手段がランプを点灯させるための「第１の信号」の出力を行うとともに、第２の回転判定手段でカラーホイールが回転していると判定された場合に、第２の信号出力手段がランプを点灯させるための「第２の信号」の出力を行う。そして、点灯信号出力手段は、これら「第１の信号」及び「第２の信号」の双方が入力された場合にのみ点灯信号の出力を行ってランプを点灯させる。また、消灯信号出力手段は、「第１の信号」が入力されない場合及び／又は「第２の信号」が入力されない場合に、消灯信号の出力を行ってランプを消灯させる。このため、各回転判定手段や各信号出力手段が故障したり信号入出力経路に不具合が生じたりした場合には、点灯信号が出力されない（又は消灯信号が出力される）ので、ランプの誤作動を阻止することができ、カラーホイールを確実に保護することができる。
【００２０】
請求項５又は６に記載の発明によれば、回転判定手段でカラーホイールが回転していると判定された場合に、予備信号出力手段がランプを点灯させるための「予備点灯信号」の出力を行う。また、この予備信号出力手段が正常に機能している場合に監視手段が「正常信号」の出力を行う。そして、点灯信号出力手段は、これら「予備点灯信号」及び「正常信号」の双方が入力された場合にのみ点灯信号の出力を行ってランプを点灯させる。また、消灯信号出力手段は、「予備点灯信号」が入力されない場合及び／又は「正常信号」が入力されない場合に、消灯信号の出力を行ってランプを消灯させる。このため、回転判定手段や予備信号出力手段が故障したり信号入出力経路に不具合が生じたりした場合には、点灯信号が出力されない（又は消灯信号が出力される）ので、ランプの誤作動を阻止することができ、カラーホイールを確実に保護することができる。
【発明を実施するための最良の形態】
【００２１】
以下、本発明の実施の形態を、図を用いて詳細に説明する。本実施の形態においては、本発明に係るプロジェクタの一例として、一枚のＤＭＤを用いた単板式ＤＬＰプロジェクタについて説明することとする。
【００２２】
[第１の実施の形態]
まず、図１及び図２を用いて、本発明の第１の実施の形態に係るプロジェクタ１の構成について説明する。
【００２３】
本実施の形態に係るプロジェクタ１は、図１に示すように、直方体形状の筐体１０、ランプユニット２０、ランプユニット２０から放射される光を透過させる透過型のカラーホイール３０、カラーホイール３０の回転状態を検出するフォトインタラプタ４０、画像を生成して所定の方向に投射するレンズユニット５０、各種回路部品やバッテリを実装した電源基板６０等を備えて構成されている。
【００２４】
筐体１０は、図１に示すように、比較的広い面積を有する矩形状の上面１１及び下面１２と、これら上面１１及び下面１２の各辺に連接された４つの側面１３と、を有している。ランプユニット２０は、光を放出するランプ２１、ランプ２１からの光を反射させて所定の方向に集束させるリフレクタ２２、ランプ２１の前面を保護するカバーガラス２３等から構成されており、図１（ａ）に示すように、筐体１０の内部の左右方向略中央部分後方寄りの位置に配置されている。ランプユニット２０の点灯動作は電源基板６０に実装された制御回路により制御される。
【００２５】
カラーホイール３０は、所定のモータにより駆動されて回転するとともにランプユニット２０から放射される光を透過させて、ランプユニット２０からの光を赤・緑・青の光に順次変換するものである。カラーホイール３０は、図１に示すように、ランプユニット２０の左側方に隣接した位置に配置されており、その回転動作は、電源基板６０に実装された制御回路により制御される。カラーホイール３０の外縁近傍部分には、円周方向に一定間隔をおいて孔部が設けられている。これら孔部は、カラーホイール３０の回転状態の検出に用いられる。
【００２６】
フォトインタラプタ４０は、図２に示すように、発光素子であるＬＥＤ（Light Emitting diode）４１と、このＬＥＤ４１からの投射光を受光するフォトトランジスタ４２と、を有し、電源基板６０から供給される電力によって駆動される。ＬＥＤ４１及びフォトトランジスタ４２は、カラーホイール３０の外縁近傍部分を挟んで相対する位置に配置されており、カラーホイール３０が回転すると、ＬＥＤ４１から投射される光はカラーホイール３０の外縁近傍部分によって断続的に遮断される。フォトトランジスタ４２は、ＬＥＤ４１から投射されてカラーホイール３０に設けられた孔部を通過した光を受光し、受光信号を生成する。フォトトランジスタ４２で生成された受光信号は、電源基板６０に搭載されたメインＣＰＵ６１及びサブＣＰＵ６２に伝送される。
【００２７】
レンズユニット５０は、カラーホイール３０を透過した光を導く導光筒、カラーホイール３０を通過した光を反射させて画像を生成する角度制御自在なデジタル反射集積素子であるＤＭＤ、ＤＭＤの動作を制御するＤＭＤ基板、ＤＭＤで生成した光（画像）を所定の方向に投射する投射レンズ等から構成されている。レンズユニット５０は、図１に示すように、カラーホイール３０と筐体１０の左側面１３との間の空間に配置され、図１の前方に画像を投射する。
【００２８】
電源基板６０は、図１に示すように、ランプユニット２０の前方に配置されており、カラーホイール３０の回転状態に基づいてランプユニット２０の点灯動作を制御する制御回路を備えるとともに、各種電子機器に電力を供給するバッテリを備えている。
【００２９】
電源基板６０の制御回路は、図２に示すように、プロジェクタ１に搭載された各種電子機器を統合制御するメインＣＰＵ６１及びサブＣＰＵ６２と、これらメインＣＰＵ６１及びサブＣＰＵ６２から出力される信号を受けて一の出力信号を生成するＡＮＤゲート６３と、ＬＥＤ回路６４と、ランプ点灯回路６５と、を有している。
【００３０】
電源基板６０に搭載されたメインＣＰＵ６１及びサブＣＰＵ６２は、フォトトランジスタ４２の受光時間等に応じてカラーホイール３０の回転状態を判定する。例えば、フォトトランジスタ４２による受光が断続的でかつ受光時間が所定の設定値より短い場合には、メインＣＰＵ６１及びサブＣＰＵ６２はカラーホイール３０が回転状態にあると判定する。一方、フォトトランジスタ４２による受光が検出されない場合又は受光時間が所定の設定値より長い場合には、メインＣＰＵ６１及びサブＣＰＵ６２はカラーホイール３０が停止状態にあると判定する。すなわち、メインＣＰＵ６１及びサブＣＰＵ６２は、それぞれ、本発明における第１の回転判定手段及び第２の回転判定手段である。
【００３１】
また、メインＣＰＵ６１は、カラーホイール３０が回転状態にあると判定した場合に、ランプＯＮ信号（ランプ２１を点灯させるための信号）の出力を行う。メインＣＰＵ６１から出力されるランプＯＮ信号は本発明における第１の信号であり、メインＣＰＵ６２は本発明における第１の信号出力手段である。一方、サブＣＰＵ６２も、カラーホイール３０が回転状態にあると判定した場合に、ランプＯＮ信号（ランプ２１を点灯させるための信号）の出力を行う。サブＣＰＵ６２から出力されるランプＯＮ信号は本発明における第２の信号であり、サブＣＰＵ６２は本発明における第２の信号出力手段である。
【００３２】
ＡＮＤゲート６３は、メインＣＰＵ６１から出力されたランプＯＮ信号（第１の信号）と、サブＣＰＵ６２から出力されたランプＯＮ信号（第２の信号）と、の双方が入力された場合にのみ、ランプＯＮ信号の出力を行う。また、ＡＮＤゲート６３は、メインＣＰＵ６１からのランプＯＮ信号（第１の信号）が入力されない場合及び／又はサブＣＰＵ６２からのランプＯＮ信号（第２の信号）が入力されない場合に、ランプＯＦＦ信号の出力を行う。
【００３３】
ＬＥＤ回路６４は、図２に示すように、ＡＮＤゲート６３に接続されたトランジスタ６４ａと、ＬＥＤ６４ｂと、を有しており、ＡＮＤゲート６３から出力されたランプＯＮ信号がトランジスタ６４ａのベースに入力された場合にＬＥＤ６４ｂが点灯するように構成されている。
【００３４】
ランプ点灯回路６５は、図２に示すように、ＬＥＤ６４ａからの投射光を受光するフォトトランジスタ６５ａを有しており、フォトトランジスタ６５がＬＥＤ６４ｂからの投射光を受光した場合にランプＯＮ信号を生成する一方、フォトトランジスタ６５がＬＥＤ６４ｂからの投射光を受光しない場合にランプＯＦＦ信号を生成するように構成されている。ランプ点灯回路６５によって生成されたランプＯＮ信号により、ランプユニット２０のランプ２１が点灯する一方、ランプ点灯回路６５によって生成されたランプＯＦＦ信号により、ランプユニット２０のランプ２１が消灯する。
【００３５】
ＡＮＤゲート６３から出力されるランプＯＮ信号と、このランプＯＮ信号に基づいて点灯するＬＥＤ６４ｂの投射光と、このＬＥＤ６４ｂからの投射光に基づいてランプ点灯回路６５で生成されるランプＯＮ信号と、は本発明における点灯信号である。また、ＡＮＤゲート６３、ＬＥＤ回路６４及びランプ点灯回路６５は、本発明における点灯信号出力手段を構成する。一方、ＡＮＤゲート６３から出力されるランプＯＦＦ信号と、ランプ点灯回路６５で生成されるランプＯＦＦ信号と、は本発明における消灯信号である。また、ＡＮＤゲート６３、ＬＥＤ回路６４及びランプ点灯回路６５は、本発明における消灯信号出力手段を構成する。
【００３６】
以上説明した実施の形態に係るプロジェクタ１においては、カラーホイール３０の回転状態を検出したメインＣＰＵ６１がランプＯＮ信号（第１の信号）の出力を行うとともに、カラーホイール３０の回転状態を検出したサブＣＰＵ６２がランプＯＮ信号（第２の信号）の出力を行う。そして、メインＣＰＵ６１から出力されたランプＯＮ信号と、サブＣＰＵ６２から出力されたランプＯＮ信号と、の双方がＡＮＤゲート６３に入力された場合にのみ、ＡＮＤゲート６３からランプＯＮ信号（点灯信号）が出力され、ＬＥＤ回路６４及びランプ点灯回路６５を介してランプユニット２０のランプ２１が点灯する。
【００３７】
このため、メインＣＰＵ６１及びサブＣＰＵ６２の何れか一方が故障して正常に機能しないためにランプＯＮ信号（第１の信号及び／又は第２の信号）が出力されない場合や、フォトトランジスタ４２からメインＣＰＵ６１又はサブＣＰＵ６２を経由してＡＮＤゲート６３にいたる信号入出力経路に不具合が生じてランプＯＮ信号（第１の信号及び／又は第２の信号）が正常に伝達されない場合には、ＡＮＤゲート６３からランプＯＮ信号（点灯信号）が出力されず、ランプユニット２０のランプ２１が点灯することがない。従って、カラーホイール３０が停止している場合にランプ２１が誤って点灯するのを阻止することができ、カラーホイール３０を確実に保護することができる。
【００３８】
[第２の実施の形態]
次に、図３を用いて、本発明の第２の実施の形態に係るプロジェクタの構成について説明する。本実施の形態に係るプロジェクタは、第１の実施の形態に係るプロジェクタの電源基板の制御回路の構成を一部変更したものであり、その他の構成については第１の実施の形態と実質的に同一である。このため、変更した構成についてのみ説明することとし、重複する構成については説明を省略する。また、第１の実施の形態と実質的に同一の構成を説明で用いる場合には、第１の実施の形態と同一の符号を付すこととする。
【００３９】
本実施の形態に係るプロジェクタの電源基板の制御回路は、図３に示すように、メインＣＰＵ６１に接続されたトランジスタ６６ａと、サブＣＰＵ６２に接続されたトランジスタ６６ｂと、これら２つのトランジスタ６６ａ、６６ｂのコレクタに接続されたＬＥＤ６６ｃと、を有するＬＥＤ回路６６を有している。
【００４０】
ＬＥＤ回路６６のＬＥＤ６６ｃは、メインＣＰＵ６１から出力されたランプＯＮ信号（第１の信号）がトランジスタ６６ａのベースに入力され、かつ、サブＣＰＵ６２から出力されたランプＯＮ信号（第２の信号）がトランジスタ６６ｂのベースに入力された場合にのみ点灯するようになっている。そして、ランプ点灯回路６５は、フォトトランジスタ６５ａがＬＥＤ回路６６のＬＥＤ６６ｃからの投射光を受光した場合にランプＯＮ信号を生成する一方、フォトトランジスタ６５ａがＬＥＤ６６ｃからの投射光を受光しない場合にランプＯＦＦ信号を生成するように構成されている。ランプ点灯回路６５によって生成されたランプＯＮ信号により、ランプユニット２０のランプ２１が点灯する一方、ランプ点灯回路６５によって生成されたランプＯＦＦ信号により、ランプユニット２０のランプ２１が消灯する。
【００４１】
メインＣＰＵ６１から出力されたランプＯＮ信号（第１の信号）及びサブＣＰＵ６２から出力されたランプＯＮ信号（第２の信号）に基づいて点灯するＬＥＤ６６ｃの投射光と、このＬＥＤ６６ｃからの投射光に基づいてランプ点灯回路６５で生成されるランプＯＮ信号と、は本発明における点灯信号である。また、ＬＥＤ回路６６及びランプ点灯回路６５は、本発明における点灯信号出力手段を構成する。一方、ランプ点灯回路６５で生成されるランプＯＦＦ信号は本発明における消灯信号である。また、ＬＥＤ回路６６及びランプ点灯回路６５は、本発明における消灯信号出力手段を構成する。
【００４２】
以上説明した実施の形態に係るプロジェクタにおいては、カラーホイール３０の回転状態を検出したメインＣＰＵ６１がランプＯＮ信号（第１の信号）の出力を行うとともに、カラーホイール３０の回転状態を検出したサブＣＰＵ６２がランプＯＮ信号（第２の信号）の出力を行う。そして、メインＣＰＵ６１から出力されたランプＯＮ信号がＬＥＤ回路６６のトランジスタ６６ａのベースに入力されるとともに、サブＣＰＵ６２から出力されたランプＯＮ信号がＬＥＤ回路６６のトランジスタ６６ｂのベースに入力された場合にのみ、ＬＥＤ回路６６のＬＥＤ６６ｃが点灯し、ランプ点灯回路６５を介してランプユニット２０のランプ２１が点灯する。
【００４３】
このため、メインＣＰＵ６１及びサブＣＰＵ６２の何れか一方が故障して正常に機能しないためにランプＯＮ信号（第１の信号及び／又は第２の信号）が出力されない場合や、フォトトランジスタ４２からメインＣＰＵ６１又はサブＣＰＵ６２を経由してＬＥＤ回路６６にいたる信号入出力経路に不具合が生じてランプＯＮ信号（第１の信号及び／又は第２の信号）が正常に伝達されない場合には、ＬＥＤ回路６６のＬＥＤ６６ｃが点灯せず（点灯信号が出力されず）、ランプユニット２０のランプ２１が点灯することがない。従って、カラーホイール３０が停止している場合にランプ２１が誤って点灯するのを阻止することができ、カラーホイール３０を確実に保護することができる。
【００４４】
また、以上説明した実施の形態に係るプロジェクタにおいては、第１の実施の形態で採用したようなＡＮＤゲート６３を介在させることなく、メインＣＰＵ６１及びサブＣＰＵ６２を直接ＬＥＤ回路６６に接続しているので、メインＣＰＵ６１及びサブＣＰＵ６２からＬＥＤ回路６６にいたる信号入出力経路が簡素化される。従って、信号入出力経路の断線や短絡等の不具合を低減することができる。
【００４５】
[第３の実施の形態]
次に、図４を用いて、本発明の第３の実施の形態に係るプロジェクタの構成について説明する。本実施の形態に係るプロジェクタは、第１の実施の形態に係るプロジェクタ１の電源基板６０の制御回路のサブＣＰＵ６２を「Watch Dog Timer（以下「ＷＤＴ」という）」に変更したものであり、その他の構成については第１の実施の形態と実質的に同一である。このため、変更した構成についてのみ説明することとし、重複する構成については説明を省略する。また、第１の実施の形態と実質的に同一の構成を説明で用いる場合には、第１の実施の形態と同一の符号を付すこととする。
【００４６】
本実施の形態に係るプロジェクタの電源基板の制御回路は、図４に示すように、プロジェクタに搭載された各種電子機器を統合制御するメインＣＰＵ６１と、このメインＣＰＵ６１の動作を監視するＷＤＴ６７と、これらメインＣＰＵ６１及びＷＤＴ６７から出力される信号を受けて一の出力信号を生成するＡＮＤゲート６３と、ＬＥＤ回路６４と、ランプ点灯回路６５と、を有している。
【００４７】
メインＣＰＵ６１は、カラーホイール３０が回転していると判定した場合に、ＡＮＤゲート６３に対してランプＯＮ信号（ランプ２１を点灯させるための信号）の出力を行うものであり、本発明における回転判定手段及び予備信号出力手段として機能する。また、メインＣＰＵ６１から出力されるランプＯＮ信号は、本発明における予備点灯信号である。
【００４８】
ＷＤＴ６７は、本発明における監視手段であり、メインＣＰＵ６１が正常に機能しているか否かを監視して、所定の指定時間が経過すると自動的にメインＣＰＵ６１をリセットするタイマである。メインＣＰＵ６１が正常に機能している間は、メインＣＰＵ６１が一定時間（前記指定時間より短い時間）毎にＷＤＴ６７を再起動させ、ＷＤＴ６７によるカウントを再開させる。ＷＤＴ６７によるカウントが続行している間は、ＷＤＴ６７からＡＮＤゲート６３に対してＯＮ信号（正常信号）が出力される。一方、メインＣＰＵ６１が故障して正常に機能しなくなった場合には、ＷＤＴ６７が前記指定時間経過後にメインＣＰＵ６１を自動的にリセットする。ＷＤＴ６７によりメインＣＰＵ６１がリセットされると、メインＣＰＵ６１からのランプＯＮ信号の出力は遮断される。また、ＷＤＴ６７がメインＣＰＵ６１によって再起動されない限り、ＷＤＴ６７からのＯＮ信号の出力も遮断される。
【００４９】
ＡＮＤゲート６３は、メインＣＰＵ６１から出力されたランプＯＮ信号（予備点灯信号）と、ＷＤＴ６７から出力されたＯＮ信号（正常信号）と、の双方が入力された場合にのみ、ランプＯＮ信号の出力を行う。また、ＡＮＤゲート６３は、メインＣＰＵ６１からのランプＯＮ信号（予備点灯信号）が入力されない場合及び／又はＷＤＴ６７からのＯＮ信号（正常信号）が入力されない場合に、ランプＯＦＦ信号の出力を行う。
【００５０】
ＬＥＤ回路６４は、第１の実施の形態と同様に、ＡＮＤゲート６３から出力されたランプＯＮ信号がトランジスタ６４ａのベースに入力された場合にＬＥＤ６４ｂが点灯するように構成されている。また、ランプ点灯回路６５は、第１の実施の形態と同様に、フォトトランジスタ６５がＬＥＤ６４ｂからの投射光を受光した場合にランプＯＮ信号を生成する一方、フォトトランジスタ６５がＬＥＤ６４ｂからの投射光を受光しない場合にランプＯＦＦ信号を生成するように構成されている。ランプ点灯回路６５によって生成されたランプＯＮ信号により、ランプユニット２０のランプ２１が点灯する一方、ランプ点灯回路６５によって生成されたランプＯＦＦ信号により、ランプユニット２０のランプ２１が消灯する。
【００５１】
ＡＮＤゲート６３から出力されるランプＯＮ信号と、このランプＯＮ信号に基づいて点灯するＬＥＤ６４ｂの投射光と、このＬＥＤ６４ｂからの投射光に基づいてランプ点灯回路６５で生成されるランプＯＮ信号と、は本発明における点灯信号である。また、ＡＮＤゲート６３、ＬＥＤ回路６４及びランプ点灯回路６５は、本発明における点灯信号出力手段を構成する。一方、ＡＮＤゲート６３から出力されるランプＯＦＦ信号と、ランプ点灯回路６５で生成されるランプＯＦＦ信号と、は本発明における消灯信号である。また、ＡＮＤゲート６３、ＬＥＤ回路６４及びランプ点灯回路６５は、本発明における消灯信号出力手段を構成する。
【００５２】
以上説明した実施の形態に係るプロジェクタにおいては、カラーホイール３０の回転状態を検出したメインＣＰＵ６１がランプＯＮ信号（予備点灯信号）の出力を行う。また、メインＣＰＵ６１が正常に機能している場合に、ＷＤＴ６７がＯＮ信号（正常信号）の出力を行う。そして、メインＣＰＵ６１から出力されたランプＯＮ信号と、ＷＤＴ６７から出力されたＯＮ信号と、の双方がＡＮＤゲート６３に入力された場合にのみ、ＡＮＤゲート回路６３からランプＯＮ信号（点灯信号）が出力されてランプユニット２０のランプ２１が点灯する。
【００５３】
このため、メインＣＰＵ６１が故障して正常に機能しないためにランプＯＮ信号（予備点灯信号）やＷＤＴ６７からのＯＮ信号が出力されない場合や、フォトトランジスタ４２からメインＣＰＵ６１を経由してＡＮＤゲート６３にいたる信号入出力経路に不具合が生じてランプＯＮ信号（予備点灯信号）が正常に伝達されない場合には、ＡＮＤゲート６３からランプＯＮ信号（点灯信号）が出力されず、ランプユニット２０のランプ２１が点灯することがない。従って、カラーホイール３０が停止している場合にランプ２１が誤って点灯するのを阻止することができ、カラーホイール３０を確実に保護することができる。
【００５４】
[第４の実施の形態]
次に、図５を用いて、本発明の第４の実施の形態に係るプロジェクタの構成について説明する。本実施の形態に係るプロジェクタは、第２の実施の形態に係るプロジェクタの電源基板の制御回路のサブＣＰＵ６２をＷＤＴに変更したものであり、その他の構成については第２の実施の形態と実質的に同一である。このため、変更した構成についてのみ説明することとし、重複する構成については説明を省略する。また、第２の実施の形態と実質的に同一の構成を説明で用いる場合には、第２の実施の形態と同一の符号を付すこととする。
【００５５】
本実施の形態に係るプロジェクタの電源基板の制御回路は、図５に示すように、プロジェクタに搭載された各種電子機器を統合制御するメインＣＰＵ６１と、このメインＣＰＵ６１の動作を監視するＷＤＴ６７と、これらメインＣＰＵ６１及びＷＤＴ６７に接続されたＬＥＤ回路６６と、ランプ点灯回路６５と、を有している。ＬＥＤ回路６６は、メインＣＰＵ６１に接続されたトランジスタ６６ａと、ＷＤＴ６７に接続されたトランジスタ６６ｂと、これら２つのトランジスタ６６ａ、６６ｂのコレクタに接続されたＬＥＤ６６ｃと、を有するものである。
【００５６】
メインＣＰＵ６１は、カラーホイール３０が回転していると判定した場合に、ＬＥＤ回路６６のトランジスタ６６ａに対してランプＯＮ信号（ランプ２１を点灯させるための信号）の出力を行うものであり、本発明における回転判定手段及び予備信号出力手段として機能する。また、メインＣＰＵ６１から出力されるランプＯＮ信号は、本発明における予備点灯信号である。
【００５７】
ＷＤＴ６７は、本発明における監視手段であり、メインＣＰＵ６１が正常に機能しているか否かを監視して、所定の指定時間が経過すると自動的にメインＣＰＵ６１をリセットするタイマである。メインＣＰＵ６１が正常に機能している間は、メインＣＰＵ６１が一定時間（前記指定時間より短い時間）毎にＷＤＴ６７を再起動させ、ＷＤＴ６７によるカウントを再開させる。ＷＤＴ６７によるカウントが続行している間は、ＷＤＴ６７からＬＥＤ回路６６のトランジスタ６６ｂに対してＯＮ信号（正常信号）が出力される。一方、メインＣＰＵ６１が故障して正常に機能しなくなった場合には、ＷＤＴ６７が前記指定時間経過後にメインＣＰＵ６１を自動的にリセットする。ＷＤＴ６７によりメインＣＰＵ６１がリセットされると、メインＣＰＵ６１からのランプＯＮ信号の出力は遮断される。また、ＷＤＴ６７がメインＣＰＵ６１によって再起動されない限り、ＷＤＴ６７からのＯＮ信号の出力も遮断される。
【００５８】
ＬＥＤ回路６６のＬＥＤ６６ｃは、メインＣＰＵ６１から出力されたランプＯＮ信号（予備点灯信号）がトランジスタ６６ａのベースに入力され、かつ、ＷＤＴ６７から出力されたＯＮ信号（正常信号）がトランジスタ６６ｂのベースに入力された場合にのみ点灯するようになっている。そして、ランプ点灯回路６５は、フォトトランジスタ６５ａがＬＥＤ回路６６のＬＥＤ６６ｃからの投射光を受光した場合にランプＯＮ信号を生成する一方、フォトトランジスタ６５ａがＬＥＤ６６ｃからの投射光を受光しない場合にランプＯＦＦ信号を生成するように構成されている。ランプ点灯回路６５によって生成されたランプＯＮ信号により、ランプユニット２０のランプ２１が点灯する一方、ランプ点灯回路６５によって生成されたランプＯＦＦ信号により、ランプユニット２０のランプ２１が消灯する。
【００５９】
メインＣＰＵ６１から出力されたランプＯＮ信号（予備点灯信号）及びＷＤＴ６７から出力されたＯＮ信号（正常信号）に基づいて点灯するＬＥＤ６６ｃの投射光と、このＬＥＤ６６ｃからの投射光に基づいてランプ点灯回路６５で生成されるランプＯＮ信号と、は本発明における点灯信号である。また、ＬＥＤ回路６６及びランプ点灯回路６５は、本発明における点灯信号出力手段を構成する。一方、ランプ点灯回路６５で生成されるランプＯＦＦ信号は本発明における消灯信号である。また、ＬＥＤ回路６６及びランプ点灯回路６５は、本発明における消灯信号出力手段を構成する。
【００６０】
以上説明した実施の形態に係るプロジェクタにおいては、カラーホイール３０の回転状態を検出したメインＣＰＵ６１がランプＯＮ信号（予備点灯信号）の出力を行う。また、メインＣＰＵ６１が正常に機能している場合に、ＷＤＴ６７がＯＮ信号（正常信号）の出力を行う。そして、メインＣＰＵ６１から出力されたランプＯＮ信号がＬＥＤ回路６６のトランジスタ６６ａのベースに入力されるとともに、ＷＤＴ６７から出力されたＯＮ信号がＬＥＤ回路６６のトランジスタ６６ｂのベースに入力された場合にのみ、ＬＥＤ回路６６のＬＥＤ６６ｃが点灯してランプユニット２０のランプ２１が点灯する。
【００６１】
このため、メインＣＰＵ６１が故障して正常に機能しないためにランプＯＮ信号（予備点灯信号）やＷＤＴ６７からのＯＮ信号が出力されない場合や、フォトトランジスタ４２からメインＣＰＵ６１を経由してＬＥＤ回路６６にいたる信号入出力経路に不具合が生じてランプＯＮ信号（予備点灯信号）が正常に伝達されない場合には、ＬＥＤ回路６６のＬＥＤ６６ｃが点灯せず、ランプユニット２０のランプ２１が点灯することがない。従って、カラーホイール３０が停止している場合にランプ２１が誤って点灯するのを阻止することができ、カラーホイール３０を確実に保護することができる。
【００６２】
また、以上説明した実施の形態に係るプロジェクタにおいては、第３の実施の形態で採用したようなＡＮＤゲート６３を介在させることなく、メインＣＰＵ６１及びＷＤＴ６７を直接ＬＥＤ回路６６に接続しているので、メインＣＰＵ６１及びＷＤＴ６７からＬＥＤ回路６６にいたる信号入出力経路が簡素化される。従って、信号入出力経路の断線や短絡等の不具合を低減することができる。
【００６３】
なお、第１及び第２の実施の形態においては、メインＣＰＵ６１とサブＣＰＵ６２とを接続せずに各々独立に動作させた例を示したが、メインＣＰＵ６１とサブＣＰＵ６２とを接続し、メインＣＰＵ６１が正常に機能しているか否かをサブＣＰＵ６２によって監視させることもできる。例えば、図２に点線の矢印で示すように、サブＣＰＵ６２にメインＣＰＵ６１からの出力信号を入力させ、メインＣＰＵ６１からの出力信号と、サブＣＰＵ６２の回転判定に基づいて生成した信号と、が一致するか否かをサブＣＰＵ６２に判定させ、両者が一致した場合にその信号をＡＮＤゲート６３に対して出力させるようにする。このようにメインＣＰＵ６１からの出力信号をサブＣＰＵ６２によって監視させることにより、サブＣＰＵ６２自体がＡＮＤゲートの機能を果たすこととなるため、ランプ２１の誤作動をより確実に防止することができる。
【００６４】
また、メインＣＰＵ６１とサブＣＰＵ６２とを接続し、サブＣＰＵ６２が正常に機能しているか否かをメインＣＰＵ６１によって監視させることもできる。例えば、図３に点線の矢印で示すように、メインＣＰＵ６１にサブＣＰＵ６２からの出力信号を入力させ、サブＣＰＵ６２からの出力信号と、メインＣＰＵ６１の回転判定に基づいて生成した信号と、が一致するか否かをメインＣＰＵ６１に判定させ、両者が一致した場合にその信号をＬＥＤ回路６６に対して出力させるようにする。このようにサブＣＰＵ６２からの出力信号をメインＣＰＵ６１によって監視させることにより、メインＣＰＵ６１自体がＡＮＤゲートの機能を果たすこととなるため、ランプ２１の誤作動をより確実に防止することができる。また、メインＣＰＵ６１が正常に機能しているか否かをサブＣＰＵ６２によって監視させるとともに、サブＣＰＵ６２が正常に機能しているか否かをメインＣＰＵ６１によって監視させることもできる。
【００６５】
また、第１及び第３の実施の形態においては、ＡＮＤゲート６３から出力されるランプＯＮ信号をＬＥＤ回路６４に入力してＬＥＤ６４ａの投射光に変換し、この投射光をフォトトランジスタ６５ａで検出することによりランプ点灯回路６５で再度ランプＯＮ信号を生成してランプ２１を点灯させた例を示したが、これらＬＥＤ回路６４やランプ点灯回路６５を介在させることなく、ＡＮＤゲート６３から出力されるランプＯＮ信号で直接ランプ２１を点灯させることもできる。
【図面の簡単な説明】
【００６６】
【図１】（ａ）は本発明の第１の実施の形態に係るプロジェクタを上方から見た場合の透視図であり、（ｂ）は本発明の第１の実施の形態に係るプロジェクタを前方から見た場合の透視図である。
【図２】図１に示したプロジェクタに搭載された電源基板の制御回路の構成を説明するための回路図である。
【図３】本発明の第２の実施の形態に係るプロジェクタに搭載された電源基板の制御回路の構成を説明するための回路図である。
【図４】本発明の第３の実施の形態に係るプロジェクタに搭載された電源基板の制御回路の構成を説明するための回路図である。
【図５】本発明の第４の実施の形態に係るプロジェクタに搭載された電源基板の制御回路の構成を説明するための回路図である。
【図６】従来のプロジェクタに搭載されたランプ点灯制御用の制御回路の構成を説明するための回路図である。
【符号の説明】
【００６７】
１    プロジェクタ
２１  ランプ
３０  カラーホイール
６１  メインＣＰＵ（第１の回転判定手段、第１の信号出力手段、予備信号出力手段）
６２  サブＣＰＵ（第２の回転判定手段、第２の信号出力手段）
６３  ＡＮＤゲート（点灯信号出力手段、消灯信号出力手段）
６４  ＬＥＤ回路（点灯信号出力手段、消灯信号出力手段）
６５  ランプ点灯回路（点灯信号出力手段、消灯信号出力手段）
６６  ＬＥＤ回路（点灯信号出力手段、消灯信号出力手段）
６７  ＷＤＴ（監視手段）
【図１】
2006098979.tif 000003
【図２】
2006098979.tif 000004
【図３】
2006098979.tif 000005
【図４】
2006098979.tif 000006
【図５】
2006098979.tif 000007
【図６】
2006098979.tif 000008